(57)【要約】【課題】  本発明は、複数の人がテーブルを囲んで１つの議題について会話をしながら、同時に落書きをするために有用な落書き用シートを提供することを目的とする。【解決手段】落書き用シートであって、議題を記入するための議題領域と、自由に落書きをするための落書き領域とを備え、議題領域は、落書き用シートの面積を２等分する線分の中点を含む、落書き用シート。【選択図】図１
2020147019.tif 000002
【特許請求の範囲】
【請求項１】
落書き用シートであって、
議題を記入するための議題領域と、
自由に落書きをするための落書き領域とを備え、
前記議題領域は、当該落書き用シートの面積を２等分する線分の中点を含む、落書き用シート。
【請求項２】
前記議題領域と前記落書き領域とは実線又は点線で区別されている、請求項１記載の落書き用シート。
【請求項３】
縁に切り取り部を２つ以上備える、請求項１又は２記載の落書き用シート。
【請求項４】
前記議題領域の少なくとも一部に重なるように標章が表示されており、
前記切り取り部には、前記標章と相似形をなす標章が表示されている、請求項３記載の落書き用シート。
【請求項５】
形状が三角形、四角形、五角形、六角形である、請求項１から４のいずれかに記載の落書き用シート。
【発明の詳細な説明】
【技術分野】
【０００１】  本発明は、落書き用シートに関し、特にワールドカフェなどの際に用いるための落書き用シートに関する。
【背景技術】
【０００２】  近年、ワールドカフェと呼ばれる会話の手法が用いられている。複数人の参加者がテーブルを囲み、示されたテーマについて会話をする。参加者は、会話を楽しみながら、心に響いたことをテーブル上に置かれた紙に落書きする。加えて、一定時間ごと（通常、１ラウンド２０〜３０分程度）にテーブルホスト以外は席替えを行う。席替えした人は、テーブルホストからの説明や落書きを参照しながら、新たに会話を開始する。最終ラウンドでは、最初のラウンドのテーブルに戻り、席替えした先で仕入れた話で印象に残ったものをテーブルの他の参加者と共有する。数十人から数百人の参加者が１つのテーマについて楽しく語り合い、しかも会話の共有が効率よく図られる手法である。【０００３】  通常、ワールドカフェを実施する際、テーブルに置く落書き用シートとしては、模造紙、クラフトペーパーなどが用いられる。参加者は、示されたテーマをシートの真ん中に書き留め、その他の余白に随時落書きする。
【発明の概要】
【発明が解決しようとする課題】
【０００４】  しかしながら、従来の模造紙は、基本的に同時に１人が記入するものであり、１方向から記入されることを前提とされていた。そのため、複数の人が向かい合って会話する際に用いる落書き用シートとしては、特に工夫が施されていなかった。【０００５】  そこで、本発明は、複数の人がテーブルを囲んで１つの議題について会話をしながら、同時に落書きをするために有用な落書き用シートを提供することを目的とする。
【課題を解決するための手段】
【０００６】  本発明の第１の観点は、落書き用シートであって、議題を記入するための議題領域と、自由に落書きをするための落書き領域とを備え、前記議題領域は、当該落書き用シートの面積を２等分する線分の中点を含む、落書き用シートである。【０００７】  本発明の第２の観点は、第１の観点の落書き用シートであって、前記議題領域と前記落書き領域とは実線又は点線で区別されている。【０００８】  本発明の第３の観点は、第１又は第２の観点の落書き用シートであって、縁に切り取り部を２つ以上備える。【０００９】  本発明の第４の観点は、第３の観点の落書き用シートであって、前記議題領域の少なくとも一部に重なるように標章が表示されており、前記切り取り部には、前記標章と相似形をなす標章が表示されている。【００１０】  本発明の第５の観点は、第１から第４のいずれかの観点の落書き用シートであって、形状が三角形、四角形、五角形、六角形である。
【発明の効果】
【００１１】  本発明に係る落書き用シートには、中心部に議題が表記されるため、向かい合った複数の人がそれぞれ議題を認識することが容易となる。また、切り取り部があることで、会話した人たちが記念に持ち帰ることが可能となる。さらに、３〜６人用のシートとすることで、会話が適度に弾むことが期待される。
【図面の簡単な説明】
【００１２】
【図１】  本発明の実施の形態に係る落書き用シートの一例を示す図である。
【図２】  本発明の実施の形態に係る落書き用シートの他の例を示す図である。
【図３】  本発明の実施の形態に係る落書き用シートの他の例を示す図である。
【図４】  本発明の実施の形態に係る落書き用シートの他の例を示す図である。
【図５】  本発明の実施の形態に係る落書き用シートの他の例を示す図である。
【図６】  本発明の実施の形態に係る落書き用シートの他の例を示す図である。
【発明を実施するための形態】
【００１３】  以下、図面を参照して、本発明を実施するための形態について説明する。なお、本発明の実施の形態は、以下の実施例に限定されるものではない。
【実施例】
【００１４】  図１は、本発明の実施の形態に係る落書き用シートの一例を示す図であり、（ａ）表面図と（ｂ）裏面図を示す図である。図１を参照して、落書き用シート１は、  議題を記入するための議題領域３と、自由に落書きをするための落書き領域５と、切り取り部７とを備える。議題領域３と落書き領域５とは、少なくとも判別できる程度に領域が区別されている。また、切り取り部７は、切り取り線が入っている。【００１５】  議題領域３には、ワールドカフェの参加者が、示された議題を書き込むべく余白が設けられている。議題領域３は、およそ落書き用シート１の中心部に設けられている。すなわち、議題領域３落書き用シート１の面積を２等分する線分の中点を含んでいる。テーブルを囲む複数の参加者から見やすくするためである。落書き領域５には、参加者が落書きをできるように、大きく余白が設けられている。落書き用シート１は、落書き領域５を十分に確保できる大きさであることが好ましい。例えば、１８００ｍｍ×６００ｍｍ、１８００ｍｍ×９００ｍｍ、１８００×１２００ｍｍであれば、一般的な会議室に備えられている机をテーブルに見立てて対応可能であるために好ましい。【００１６】  落書き用シート１の縁にある切り取り部７には、議題領域３に示されたロゴが表示されている。そのため、ワールドカフェの参加者は、これを切り取って記念に持ち帰ることができる。テーブルの参加者がそれぞれ持ち帰ることができるように、切り取り部７は、少なくともテーブルの参加者数だけ用意されている。【００１７】  通常、ワールドカフェの手法を用いた会話は、非常に盛り上がる。特に、最初のラウンドと最終のラウンドで同じテーブルに着いた者同士は、初対面であってもあたかも旧友であるかのような錯覚をおぼえて再会を約束する程に新密度が高まる。そのため、切り取り部７の記念品としての価値は、ワールドカフェの手法の価値を著しく高める。【００１８】  そこで、切り取り部７の記念品としての価値をさらに高めるため、議題領域３又は落書き領域５に表示されたワールドカフェの標章と相似な標章（カフェ標章）を切り取り部７に表示させることが好ましい。カフェ標章は、特定のワールドカフェに参加した証となる。さらに、同じテーブルに着いた者同士の証として、落書き用シート１ごとに固有の標章（テーブル標章）を各切り取り部７に表示させることも好ましい。カフェ標章とテーブル標章は、合わせて１つの標章とすることもできる。例えば、「００１−０１８」のように、前半３ケタの数字をカフェ標章とし、後半３ケタの数字をテーブル標章とすることができる。【００１９】  この場合、落書き用シートセットは、複数の落書き用シート１を備え、各落書き用シート１が備える複数の切り取り部７は、セット内の異なる落書き用シート１に共通するカフェ標章と、各落書き用シート１ごとに異なるテーブル標章とを有する。ここで、複数の落書き用シートの切り取り部７について、同じテーブル標章を有するとしてもよい。【００２０】  なお、議題領域と落書き領域とは、実線、点線、その他の線、文字、図形で区別されてよく、その表示形態は問わない。また、切り取り部は、参加者が切り取るべき領域を判別できればよく、ミシン目を入れて��よい。ミシン目を入れる場合、裏面図にもそのミシン目が表示されることとなる。【００２１】  また、本発明に係る落書き用シートは、紙、布、その他の材質で構成されてよい。また、切り取り部は、議題領域および落書き領域と異なる材質で構成されてもよい。たとえば、議題領域および落書き領域は柔らかい紙で構成し、切り取り部は、切り取り後の保管が容易なように固めの紙や厚紙で構成されてもよい。加えて、切り取り後の携帯に便利なように、各切り取り部のサイズを名刺サイズ（例えば、５５ｍｍ×９１ｍｍ）としてもよい。【００２２】  さらに、落書き用シートは、図２に示すように、無地のものであってもよい。さらに、落書き用シートは、図３から図６に示すように、四角形以外にも、三角形、五角形、六角形などの多角形やその他の形状でもよい。ただし、会話が弾む適正人数の観点からは、３〜６人用が好ましく、三角形、四角形、五角形、六角形の形状がさらに好ましい。【００２３】  さらに、落書き用シートは、テーブルの参加者数以上に切り取り部を備えてもよい。例えば、席替え時に他のテーブルから来た者の分も切り取り部を備えてもよい。さらに、落書き用シートは、テーブルとの密着性を向上させるため、付着部を備えてもよい。この付着部は、議題領域、落書き領域、切り取り部のいずれに備えてもよい。例えば、切り取り部を含む縁の裏面にシール部を設けてよい。
【符号の説明】
【００２４】  １・・・落書き用シート、３・・・議題領域、５・・・落書き領域、７・・・切り取り部
【図１】
2020147019.tif 000003
【図２】
2020147019.tif 000004
【図３】
2020147019.tif 000005
【図４】
2020147019.tif 000006
【図５】
2020147019.tif 000007
【図６】
2020147019.tif 000008
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
落書き用シートであって、
当該落書き用シートの中心部に設けられている議題領域と、
前記議題領域と区別されている落書き領域とを備え、
前記議題領域と前記落書き領域とは実線又は点線で区別されており、
縁に切り取り部を２つ以上をさらに備え、
前記切り取り部は、ミシン目を有する、落書き用シート。
【請求項２】
前記議題領域の少なくとも一部に重なるように標章が表示されており、
前記切り取り部には、前記標章と相似形をなす標章が表示されている、請求項１記載の落書き用シート。
【請求項３】
前記切り取り部は、前記議題領域および前記落書き領域とは異なる材質で構成されている、請求項１又は２記載の落書き用シート。
【請求項４】
請求項１から３のいずれかに記載の落書き用シートを複数備える落書き用シートセットであり、
前記切り取り部は、
セット内の異なる落書き用シートに共通するカフェ標章と、
各落書き用シートごとに異なるテーブル標章とを有する、落書き用シートセット。